(57)【要約】      （修正有）【課題】環状装飾部材を手指の装飾により幅広く利用することを可能とする装身具を提供する。【解決手段】手指８に装着される装身具１であって、環形状を有する環状装飾部材１１と、基部１２１及び基部１２１と接続され閉ループを形成する鎖部１２２を有する鎖部材１２と、を備え、鎖部１２２が環状装飾部材１１に挿通され基部１２１が環状装飾部材１１に係止された状態で、鎖部１２２によって手指８が挿入される挿入空間９が形成される。【選択図】図１
2020103754.tif 000002
【特許請求の範囲】
【請求項１】
手指に装着される装身具であって、
環形状を有する環状装飾部材と、
基部及び前記基部と接続され閉ループを形成する鎖部を有する鎖部材と、
を備え、
前記鎖部が前記環状装飾部材に挿通され前記基部が前記環状装飾部材に係止された状態で、前記鎖部によって前記手指が挿入される挿入空間が形成される、
装身具。
【請求項２】
前記挿入空間に前記手指が挿入された状態で、前記手指と前記基部とによって前記環状装飾部材が挟持される、
請求項１に記載の装身具。
【請求項３】
前記環状装飾部材の内周縁部には環状凹部が形成されており、
前記基部は、前記環状凹部に嵌合されることによって係止される、
請求項１又は２に記載の装身具。
【請求項４】
前記環状装飾部材には、前記基部と同一材料の部材が設けられており、
前記基部が前記環状装飾部材に係止された状態で、当該部材と前記基部とが互いに隣接する、
請求項１〜３のいずれか一項に記載の装身具。
【請求項５】
前記鎖部材は、前記鎖部のループ長を調整する調整部をさらに有する、
請求項１〜４のいずれか一項に記載の装身具。
【請求項６】
前記環状装飾部材は、乳児の手指に装着されるベビーリングである、
請求項１〜５のいずれか一項に記載の装身具。
【発明の詳細な説明】
【技術分野】
【０００１】
本発明は、装身具に関する。
【背景技術】
【０００２】
従来、環形状を有する装飾用の部材である環状装飾部材を装身具として有効に活用する方法が様々に提案されている。例えば、特許文献１では、蝶番で開閉自在な部材を環状装飾部材としての指輪に連結することによって、当該指輪の装飾性を向上させる技術が開示されている。
【先行技術文献】
【特許文献】
【０００３】
【特許文献１】実開昭６１−８８５２５号公報
【発明の概要】
【発明が解決しようとする課題】
【０００４】
ところで、環状装飾部材の従来の利用方法としては、環状装飾部材を手指に直接的に装着する方法や環状装飾部材にチェーンを取り付けてネックレスとして用いる方法がある。しかしながら、環状装飾部材を手指に直接的に装着する以外の方法で手指の装飾に利用する方法は提案されておらず、そのような方法によって環状装飾部材の装身具としての利用価値が高められることが期待される。例えば、乳児の手指に装着されるベビーリングを大人の手指の装飾に利用することによって、ベビーリングの装身具としての利用価値が高められることが期待される。
【０００５】
そこで、本発明は、上記問題に鑑みてなされたものであり、本発明の目的とするところは、環状装飾部材を手指の装飾により幅広く利用することが可能な、新規かつ改良された装身具を提供することにある。
【課題を解決するための手段】
【０００６】
上記課題を解決するために、本発明のある観点によれば、手指に装着される装身具であって、環形状を有する環状装飾部材と、基部及び前記基部と接続され閉ループを形成する鎖部を有する鎖部材と、を備え、前記鎖部が前記環状装飾部材に挿通され前記基部が前記環状装飾部材に係止された状態で、前記鎖部によって前記手指が挿入される挿入空間が形成される、装身具が提供される。
【０００７】
前記挿入空間に前記手指が挿入された状態で、前記手指と前記基部とによって前記環状装飾部材が挟持されてもよい。
【０００８】
前記環状装飾部材の内周縁部には環状凹部が形成されており、前記基部は、前記環状凹部に嵌合されることによって係止されてもよい。
【０００９】
前記環状装飾部材には、前記基部と同一材料の部材が設けられており、前記基部が前記環状装飾部材に係止された状態で、当該部材と前記基部とが互いに隣接してもよい。
【００１０】
前記鎖部材は、前記鎖部のループ長を調整する調整部をさらに有してもよい。
【００１１】
前記環状装飾部材は、乳児の手指に装着されるベビーリングであってもよい。
【発明の効果】
【００１２】
以上説明したように本発明によれば、環状装飾部材を手指の装飾により幅広く利用することが可能となる。
【図面の簡単な説明】
【００１３】
【図１】本発明の第１の実施形態に係る装身具を示す正面図である。
【図２】同実施形態に係る装身具を示す上面図である。
【図３】同実施形態に係る装身具の環状装飾部材を示す斜視図である。
【図４】同実施形態に係る装身具の鎖部材を示す斜視図である。
【図５】同実施形態に係る装身具が組み立てられる様子を示す図である。
【図６】同実施形態における第１の変形例に係る装身具を示す上面図である。
【図７】同実施形態における第２の変形例に係る装身具を示す上面図である。
【図８】本発明の第２の実施形態に係る装身具を示す上面図である。
【図９】本発明の第３の実施形態に係る装身具を示す正面図である。
【図１０】同実施形態における変形例に係る装身具を示す正面図である。
【発明を実施するための形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
なお、以下では、環状装飾部材としてベビーリングが用いられる例を説明するが、本発明に係る環状装飾部材は、環形状を有する装飾用の部材であればよく、例えば、成人の手指に装着可能なものであってもよい。
【００１６】
また、以下では、鎖部材の基部として宝石等の装飾体が用いられる例を説明するが、本発明に係る鎖部材の基部は、鎖部が環状装飾部材に挿通された際に当該環状装飾部材に係止されるものであればよく、例えば、基部の形状は下記で例示する形状以外の形状（例えば、棒形状）であってもよく、環状装飾部材に嵌合されなくてもよい。
【００１７】
また、以下では、鎖部材の鎖部としてボールチェーンが用いられる例を主に説明するが、本発明に係る鎖部材の鎖部は、複数の部材を連続的に接続したものであればよく、後述するように、複数の環状の部材が連続的に接続されているチェーン等であってもよい。
【００１８】
＜１．第１の実施形態＞
本発明の第１の実施形態に係る装身具１について説明する。
【００１９】
［１−１．構成］
まず、図１〜図７を参照して、第１の実施形態に係る装身具１の構成について説明する。
【００２０】
図１は、装身具１を示す正面図である。図２は、装身具１を示す上面図である。図３は、装身具１の環状装飾部材１１を示す斜視図である。図４は、装身具１の鎖部材１２を示す斜視図である。
【００２１】
装身具１は、手指に装着されるものである。具体的には、本実施形態では、装身具１は、ベビーリングである環状装飾部材１１を成人の手指８の装飾により幅広く利用することを可能とするものである。
【００２２】
なお、本発明に係る装身具は、上述したように、ベビーリング以外のものを環状装飾部材として備えるものであってもよい。また、本発明に係る装身具において形成される挿入空間に挿入可能な手指のサイズは、成人の手指のサイズに特に限定されない。
【００２３】
具体的には、装身具１は、図１に示されるように、環形状を有する環状装飾部材１１と、基部１２１及び基部１２１と接続され閉ループを形成する鎖部１２２を有する鎖部材１２とを備える。また、装身具１では、鎖部１２２が環状装飾部材１１に挿通され基部１２１が環状装飾部材１１に係止された状態で、鎖部１２２によって手指８が挿入される挿入空間９が形成される。ゆえに、図２に示されるように、鎖部１２２により形成される挿入空間９に手指８を挿入することによって、装身具１を手指８に装着することができる。
【００２４】
環状装飾部材１１は、環形状を有する装飾用の部材であり、例えば、環状装飾部材１１としては、手指に直接的に装着することができる金属製の指輪が用いられる。具体的には、本実施形態では、環状装飾部材１１として、ベビーリングが用いられる。ベビーリングは、乳児の手指に装着されるものであり、成人の手指の径よりも小さい内径（例えば、略８ｍｍ）を有する指輪である。このようなベビーリングを乳児への贈り物にする習慣が、近年広がりつつある。
【００２５】
図３に示されるように、環状装飾部材１１は、略円環形状を有している。なお、環形状は、閉ループを形成する形状であればよく、円環形状に限定されず、例えば、楕円環形状若しくは多角環形状又はこれらの組み合わせを広く含む。
【００２６】
また、環状装飾部材１１の内周縁部には、環状凹部１１１が形成されている。具体的には、環状凹部１１１は、環状装飾部材１１の内周縁部に全周に亘って形成されている凹部であり、図１に示されるように、鎖部材１２の基部１２１の外周縁部（つまり、基部１２１における外径が最大となっている部分）の形状と対応する形状を有している。このような環状凹部１１１に基部１２１が嵌合されている。具体的には、基部１２１の外周縁部が環状凹部１１１に嵌合されている。
【００２７】
鎖部材１２は、環状装飾部材１１を保持しつつ、手指８が挿入される挿入空間９を形成するための部材であり、上述したように、基部１２１及び鎖部１２２を有する。なお、鎖部材１２は、単体でも挿入空間９を形成することができるので、装身具１から環状装飾部材１１を外し、鎖部材１２を単体で手指８に装着することもできる。
【００２８】
基部１２１は、環状装飾部材１１を装身具１から外れないように保持するためのものである。具体的には、本実施形態では、基部１２１として、宝石等の装飾体が用いられる。それにより、装身具１の装飾性をより向上させることができる。
【００２９】
図４に示されるように、基部１２１における鎖部１２２側（つまり、手指８側）は円錐形状を有しており、基部１２１における鎖部１２２側と逆側は略円錐台形状を有している。ゆえに、図２に示されるように、基部１２１は、上面視（つまり、基部１２１を鎖部１２２側と逆側から見た場合）において円形状を有する。ここで、基部１２１の外周縁部の外径（つまり、基部１２１における外径の最大値であり、基部１２１の上面視における外径）は、環状装飾部材１１の内径よりも大きくなっている。それにより、鎖部１２２を環状装飾部材１１に挿通させた状態で、基部１２１を環状装飾部材１１により係止することができる。
【００３０】
また、基部１２１は、鎖部１２２と接続されている。具体的には、図１に示されるように、基部１２１における鎖部１２２側には貫通孔１２５が形成されており、貫通孔１２５に鎖部１２２が挿通されることによって、基部１２１が鎖部１２２と接続される。なお、鎖部１２２は貫通孔１２５内を摺動するように基部１２１に対して相対的に移動可能であってもよく、相対的に移動可能でなくてもよい。また、基部１２１には貫通孔１２５が形成されていなくてもよく、その場合、鎖部１２２は基部１２１との接続部分において分断されていてもよい。例えば、図１に示される例に対して、基部１２１の貫通孔１２５及び鎖部１２２における貫通孔１２５内の部分が省略されたものが本発明に係る装身具として用いられてもよい。
【００３１】
鎖部１２２は、複数の部材を連続的に接続したものであり、基部１２１と接続され、閉ループを形成するものである。具体的には、本実施形態では、鎖部１２２として環形状のボールチェーンが用いられる。
【００３２】
ここで、鎖部１２２は、基部１２１と接続された状態で、変形可能となっている。具体的には、図１では、鎖部１２２が略円環形状となっている様子が示されており、一方、図４では、鎖部１２２が一方向に細長く伸びた環形状となっている様子が示されている。このように鎖部１２２が変形可能となっていることによって、鎖部１２２を環状装飾部材１１に挿通させることができ、かつ、手指８が挿入される挿入空間９を形成することができる。
【００３３】
ここで、図５を参照して、装身具１の組み立て方法について説明する。
【００３４】
図５は、装身具１が組み立てられる様子を示す図である。
【００３５】
図５に示されるように、装身具１の組み立てでは、まず、鎖部１２２が一方向に細長く伸びた環形状となっている状態で、鎖部１２２における基部１２１側と逆側の端部を環状装飾部材１１に挿通させる。ここで、環状装飾部材１１は、環状凹部１１１が基部１２１側を向く姿勢になっている。
【００３６】
そして、図５に示されるように、基部１２１が環状凹部１１１に嵌合されることによって係止される状態になった後に、鎖部１２２を広げることにより、図１に示されるように、鎖部１２２によって挿入空間９が形成される。
【００３７】
このように組み立てられた装身具１の挿入空間９に手指８を挿入することによって、図２に示されるように、装身具１を手指８に装着することができる。ここで、挿入空間９に手指８が挿入された状態で、手指８と基部１２１とによって環状装飾部材１１が挟持される。それにより、環状装飾部材１１を装身具１から外れないように適切に保持することができる。
【００３８】
上記で説明した装身具１の環状装飾部材１１及び基部１２１の形状は、例えば、図２に示されるように、上面視において円形状であるが、本発明に係る環状装飾部材及び基部の形状は上記の例に特に限定されない。以下、図６及び図７を参照して、環状装飾部材及び基部の形状を上記の例に対して異ならせた変形例について説明する。
【００３９】
図６は、第１の実施形態における第１の変形例に係る装身具１ａを示す上面図である。
【００４０】
装身具１ａの環状装飾部材１１ａは、上記の環状装飾部材１１と同様に、例えば、ベビーリングであるが、上記の環状装飾部材１１と異なり、図６に示されるように、八角環形状を有する。また、装身具１ａの鎖部材１２ａの基部１２１ａは、上記の環状装飾部材１１と異なり、上面視において八角形状（つまり、環状装飾部材１１ａと対応する形状）を有しており、基部１２１ａの上面視における外径は、環状装飾部材１１ａの内径よりも大きくなっている。そして、環状装飾部材１１ａの内周縁部には、環状凹部１１１ａが形成されており、基部１２１ａの外周縁部が環状凹部１１１ａに嵌合されている。
【００４１】
図７は、第１の実施形態における第２の変形例に係る装身具１ｂを示す上面図である。
【００４２】
装身具１ｂの環状装飾部材１１ｂは、上記の環状装飾部材１１と同様に、例えば、ベビーリングであるが、上記の環状装飾部材１１と異なり、図７に示されるように、一側及び他側に向けて先細りした曲線状の環形状を有する。具体的には、環状装飾部材１１ｂは、上面視において、線対称に配置された円弧を組み合わせた形状を有する。また、装身具１ｂの鎖部材１２ｂの基部１２１ｂは、上記の環状装飾部材１１と異なり、上面視において一側及び他側に向けて先細りした曲線形状（つまり、環状装飾部材１１ｂと対応する形状）を有しており、基部１２１ｂの上面視における外径は、環状装飾部材１１ｂの内径よりも大きくなっている。そして、環状装飾部材１１ｂの内周縁部には、環状凹部１１１ｂが形成されており、基部１２１ｂの外周縁部が環状凹部１１１ｂに嵌合されている。
【００４３】
上記のように、環状装飾部材１１及び基部１２１の形状は、特に限定されず、種々の形状を取り得る。例えば、環状装飾部材１１及び基部１２１の上面視における形状は、円形状、楕円形状若しくは多角形状又はこれらの組み合わせであってもよい。なお、上記では、鎖部材１２の基部１２１と環状装飾部材１１とが互いに対応する形状を有する例（具体的には、基部１２１及び環状装飾部材１１の上面視における形状が互いに略一致する例）を説明したが、基部１２１と環状装飾部材１１とが互いに対応する形状を有していなくてもよい。
【００４４】
また、上記では、基部１２１の外周縁部が環状凹部１１１に嵌合されることにより係止される例を説明したが、基部１２１の他の部分（例えば、基部１２１の下部における外周縁部よりも中央側の部分）が環状凹部１１１に係止されてもよい。また、基部１２１は環状凹部１１１に嵌合されずに係止されてもよく、その場合、環状装飾部材１１の構成から環状凹部１１１は省略され得る。
【００４５】
［１−２．効果］
次に、第１の実施形態に係る装身具１の効果について説明する。
【００４６】
本実施形態に係る装身具１は、環形状を有する環状装飾部材１１と、基部１２１及び基部１２１と接続され閉ループを形成する鎖部１２２を有する鎖部材１２とを備える。また、装身具１では、鎖部１２２が環状装飾部材１１に挿通され基部１２１が環状装飾部材１１に係止された状態で、鎖部１２２によって手指８が挿入される挿入空間９が形成される。それにより、鎖部１２２により形成される挿入空間９に手指８を挿入することによって、環状装飾部材１１が保持された状態で装身具１を手指８に装着することができる。このように、本実施形態に係る装身具１によれば、環状装飾部材１１を手指８に直接的に装着する以外の方法で手指８の装飾に利用することができる。つまり、環状装飾部材１１を手指８の装飾により幅広く利用することができる。ゆえに、環状装飾部材１１の装身具としての利用価値を向上させることができる。
【００４７】
また、本実施形態に係る装身具１では、挿入空間９に手指８が挿入された状態で、手指８と基部１２１とによって環状装飾部材１１が挟持されることが好ましい。それにより、環状装飾部材１１を装身具１から外れないように適切に保持することができるので、装身具１の装着時に、環状装飾部材１１が装身具１から外れることを適切に抑制することができる。
【００４８】
また、本実施形態に係る装身具１では、環状装飾部材１１の内周縁部には環状凹部１１１が形成されており、基部１２１は、環状凹部１１１に嵌合されることによって係止されることが好ましい。それにより、基部１２１を環状装飾部材１１によって適切に係止させることができるので、環状装飾部材１１を装身具１から外れないようにより適切に保持することができる。さらに、基部１２１を囲むように環状装飾部材１１が配置されることによって、まとまりのある美観を生じさせることができるので、装身具１の装飾性をより向上させることができる。
【００４９】
また、本実施形態に係る装身具１では、環状装飾部材１１は、乳児の手指に装着されるベビーリングであることが好ましい。上述したように、ベビーリングは、乳児の手指に装着されるものであり、成人の手指の径よりも小さい内径を有する指輪である。ゆえに、成人等の乳児以外の人の手指には、直接的にベビーリングを装着することは困難である。しかしながら、装身具１の環状装飾部材１１としてベビーリングを用いることによって、ベビーリングに通すことのできないサイズの手指（例えば、成人の手指）の装飾にベビーリングを利用することができる。それにより、例えば、ベビーリングを贈られた乳児が成人に成長した際に、当該ベビーリングを自己の手指の装飾に利用することができる。このように、ベビーリングを手指８の装飾により幅広く利用することができるので、ベビーリングの装身具としての利用価値を向上させることができる。
【００５０】
＜２．第２の実施形態＞
続いて、本発明の第２の実施形態に係る装身具２について説明する。
【００５１】
［２−１．構成］
まず、図８を参照して、第２の実施形態に係る装身具２の構成について説明する。
【００５２】
図８は、装身具２を示す上面図である。具体的には、図８では、組み立て前及び組み立て後の装身具２がそれぞれ示されている。
【００５３】
装身具２では、上述した装身具１と比較して、環状装飾部材２１に鎖部材２２の基部２２１と同一材料の部材２３が設けられている点が異なる。また、装身具２では、基部２２１が環状装飾部材２１に係止された状態で、部材２３と基部２２１とが互いに隣接するようになっている。そして、部材２３と基部２２１とが互いに隣接した状態で、部材２３及び基部２２１がまとまりのある形状を形成するようになっている。
【００５４】
具体的には、装身具２は、図８に示されるように、環形状を有する環状装飾部材２１と、基部２２１及び基部２２１と接続され閉ループを形成する鎖部１２２を有する鎖部材２２とを備える。また、装身具２では、上述した装身具１と同様に、鎖部１２２が環状装飾部材２１に挿通され基部２２１が環状装飾部材２１に係止された状態で、鎖部１２２によって手指８が挿入される挿入空間９が形成される。
【００５５】
装身具２の環状装飾部材２１は、上述した環状装飾部材１１と同様に、例えば、ベビーリングであるが、上述した環状装飾部材１１と異なり、図８に示されるように、一側に向けて先細りした曲線状の環形状を有する。具体的には、環状装飾部材２１は、上面視において、略涙滴形状を有する。また、環状装飾部材２１の内周縁部には、環状凹部２１１が形成されている。
【００５６】
ここで、装身具２の環状装飾部材２１には、鎖部材２２の基部２２１と同一材料（例えば、基部２２１と同一の宝石等）の部材２３が設けられている。具体的には、部材２３は、環状装飾部材２１の先細りした先端側において、環状凹部２１１に嵌合された状態で固定されている。つまり、環状装飾部材２１の内側に画成される領域のうち当該環状装飾部材２１の先端側の領域は、部材２３によって占められている。
【００５７】
また、装身具２の鎖部材２２の基部２２１は、上面視において、環状装飾部材２１の内側に画成される領域のうち当該環状装飾部材２１の先端側と逆側の領域と対応する形状を有している。そして、基部２２１の外周縁部が、環状装飾部材２１の先細りした先端側と逆側において、環状凹部２１１に嵌合されることにより係止されている。
【００５８】
また、図８に示されるように、基部２２１が環状装飾部材２１に係止された状態で、部材２３と基部２２１とが互いに隣接するようになっている。具体的には、当該状態において、部材２３と基部２２１とは互いに面接触している。そして、部材２３と基部２２１とが互いに隣接した状態で、部材２３及び基部２２１は、上面視において、まとまりのある形状である略涙滴形状（つまり、環状装飾部材２１と対応する形状）を形成する。
【００５９】
［２−２．効果］
次に、第２の実施形態に係る装身具２の効果について説明する。
【００６０】
本実施形態に係る装身具２では、環状装飾部材２１には、鎖部材２２の基部２２１と同一材料の部材２３が設けられており、基部２２１が環状装飾部材２１に係止された状態で、当該部材２３と基部２２１とが互いに隣接する。それにより、組み立て後の装身具２において、部材２３及び基部２２１によって、まとまりのある形状を形成することができる。ゆえに、環状装飾部材２１が単体で有する美観又は鎖部材２２の基部２２１が単体で有する美観とは異なる新たな美観を生じさせることができるので、装身具２の装飾性をより向上させることができる。
【００６１】
＜３．第３の実施形態＞
続いて、本発明の第３の実施形態に係る装身具３について説明する。
【００６２】
［３−１．構成］
まず、図９を参照して、第３の実施形態に係る装身具３の構成について説明する。
【００６３】
図９は、装身具３を示す正面図である。
【００６４】
装身具３では、上述した装身具１と比較して、鎖部材３２が鎖部３２２のループ長を調整するためのスライドボール５０をさらに有する点が異なる。なお、スライドボール５０は、本発明に係る調整部の一例に相当する。ここで、鎖部３２２のループ長は、鎖部３２２により形成される閉ループの周長を意味する。
【００６５】
具体的には、装身具３は、図９に示されるように、環形状を有する環状装飾部材１１と、基部１２１及び基部１２１と接続され閉ループを形成する鎖部３２２を有し、さらにスライドボール５０を有する鎖部材３２とを備える。また、装身具３では、上述した装身具１と同様に、鎖部３２２が環状装飾部材１１に挿通され基部１２１が環状装飾部材１１に係止された状態で、鎖部３２２によって手指８が挿入される挿入空間９が形成される。
【００６６】
装身具３では、鎖部材３２の鎖部３２２として、両端を有する線状のボールチェーンが用いられ、鎖部３２２の一端を鎖部３２２における両端間の部分に固定することによって、閉ループが形成される。なお、上述したように、基部１２１には貫通孔１２５が形成されていなくてもよく、その場合、鎖部３２２は基部１２１との接続部分において分断されていてもよい。例えば、図９に示される例に対して、基部１２１の貫通孔１２５及び鎖部３２２における貫通孔１２５内の部分が省略されたものが本発明に係る装身具として用いられてもよい。なお、その場合には、鎖部は、基部１２１によって分断された２つの部分（具体的には、スライドボール５０が取り付けられている部分及びスライドボール５０が取り付けられていない部分）を含む。
【００６７】
また、装身具３では、上述したように、調整部として、スライドボール５０が用いられる。スライドボール５０は、鎖部３２２の一端に取り付けられており、鎖部３２２の一端を鎖部３２２における両端間の部分（具体的には、他端側の部分）に固定する機能を有する。
【００６８】
詳細には、スライドボール５０は、金属製の球形状の本体部５１を有しており、本体部５１が鎖部３２２の一端と接続されている。本体部５１には、貫通孔５２が形成されており、貫通孔５２の内周部には、シリコンゴム等のゴムが設けられている。そして、スライドボール５０の貫通孔５２に鎖部３２２の他端側の部分が挿通された状態になっている。ゆえに、スライドボール５０が鎖部３２２の他端側の部分に固定されることによって、鎖部３２２の一端が鎖部３２２の他端側の部分に固定された状態になっている。
【００６９】
上記の状態から、スライドボール５０を鎖部３２２に対してスライドさせることによって、鎖部３２２の他端側の部分において鎖部３２２の一端が固定される位置を変化させることができる。それにより、鎖部３２２のループ長を調整することができる。
【００７０】
上記では、鎖部のループ長を調整する調整部としてスライドボール５０が用いられる例である装身具３を説明したが、調整部の構成は上記の例に特に限定されない。以下、図１０を参照して、調整部の構成を上記の例に対して異ならせた変形例について説明する。
【００７１】
図１０は、第３の実施形態における変形例に係る装身具３ａを示す正面図である。
【００７２】
装身具３ａでは、鎖部材３２ａの鎖部３２２ａとして、複数の環状の部材が連続的に接続されているチェーン（例えば、喜平チェーン又はあずきチェーン等）が用いられる。また、鎖部３２２ａとして用いられるチェーンは、両端を有する線状であり、鎖部３２２ａの一端を鎖部３２２ａにおける両端間の部分に固定することによって、閉ループが形成される。なお、上述したように、基部１２１には貫通孔１２５が形成されていなくてもよく、その場合、鎖部３２２ａは基部１２１との接続部分において分断されていてもよい。例えば、図１０に示される例に対して、基部１２１の貫通孔１２５及び鎖部３２２ａにおける貫通孔１２５内の部分が省略されたものが本発明に係る装身具として用いられてもよい。なお、その場合には、鎖部は、基部１２１によって分断された２つの部分（具体的には、引き輪５０ａが取り付けられている部分及び引き輪５０ａが取り付けられていない部分）を含む。
【００７３】
また、装身具３ａでは、調整部として、引き輪５０ａが用いられる。引き輪５０ａは、鎖部３２２ａの一端に取り付けられており、鎖部３２２ａの一端を鎖部３２２ａにおける両端間の部分（具体的には、他端側の部分）に固定する機能を有する。
【００７４】
詳細には、引き輪５０ａは、金属製の円環形状の本体部５１ａを有しており、本体部５１ａが鎖部３２２ａの一端と接続されている。本体部５１ａには、ツマミ５２ａが設けられており、ツマミ５２ａを押すことによって本体部５１ａの一部が開き、本体部５１ａがＣ字形状となる。ゆえに、その状態で、本体部５１ａを鎖部３２２ａの他端側の部分に通してツマミ５２ａを戻すことによって、引き輪５０ａを当該部分に固定することができる。それにより、鎖部３２２ａの一端が鎖部３２２ａの他端側の部分に固定される。
【００７５】
上記の状態から、引き輪５０ａを鎖部３２２ａにおける他の環状の部材に取り付けなおすことによって、鎖部３２２ａの他端側の部分において鎖部３２２ａの一端が固定される位置を変化させることができる。それにより、鎖部３２２ａのループ長を調整することができる。
【００７６】
なお、鎖部のループ長を調整する調整部は、スライドボール５０及び引き輪５０ａ以外のものであってもよく、例えば、カニカンと称される留め具等であってもよい。
【００７７】
［３−２．効果］
次に、第３の実施形態に係る装身具３の効果について説明する。
【００７８】
本実施形態に係る装身具３では、鎖部材３２は、鎖部３２２のループ長を調整する調整部をさらに有する。それにより、装身具３を装着する人の手指８のサイズに応じて、鎖部３２２のループ長を適切に調整することができるので、手指８が挿入される挿入空間９のサイズを適切に調整することができる。ゆえに、手指８のサイズによらず、装身具３を適切に装着することができる。よって、環状装飾部材１１を手指８の装飾により幅広く利用することができる効果をより向上させることができる。
【００７９】
＜４．むすび＞
以上説明したように、本発明の各実施形態に係る装身具１，２，３は、環形状を有する環状装飾部材と、基部及び当該基部と接続され閉ループを形成する鎖部を有する鎖部材とを備える。また、各実施形態に係る装身具１，２，３では、鎖部が環状装飾部材に挿通され基部が環状装飾部材に係止された状態で、鎖部によって手指８が挿入される挿入空間９が形成される。それにより、鎖部により形成される挿入空間９に手指８を挿入することによって、環状装飾部材が保持された状態で装身具を手指８に装着することができる。ゆえに、環状装飾部材を手指８の装飾により幅広く利用することができるので、環状装飾部材の装身具としての利用価値を向上させることができる。
【００８０】
以上、添付図面を参照しながら本発明の好適な実施形態について詳細に説明したが、本発明は係る例に限定されない。本発明の属する技術の分野における通常の知識を有する者であれば、特許請求の範囲に記載された技術的思想の範疇内において、各種の変更例又は応用例に想到し得ることは明らかであり、これらについても、当然に本発明の技術的範囲に属するものと了解される。
【００８１】
例えば、上記では、図面を参照して各実施形態に係る装身具１，２，３の各構成要素を説明したが、本発明に係る装身具の各構成要素の形状は、図面に示される例に特に限定されない。また、本発明に係る装身具の各構成要素の材質は、上記で説明した例に特に限定されない。また、本発明に係る装身具は、上記で説明した各実施形態に係る装身具１，２，３に対して、追加的な構成要素を付加したものであってもよい。例えば、上記で説明した各実施形態に係る装身具１，２，３の鎖部（具体的には、鎖部１２２等）に基部（具体的には、基部１２１等）以外の部材（例えば、基部とは異なる宝石）が追加的に設けられてもよい。
【符号の説明】
【００８２】
１，１ａ，１ｂ，２，３，３ａ  装身具
８  手指
９  挿入空間
１１，１１ａ，１１ｂ，２１  環状装飾部材
１２，１２ａ，１２ｂ，２２，３２，３２ａ  鎖部材
５０  スライドボール
５０ａ  引き輪
１１１，１１１ａ，１１１ｂ，２１１  環状凹部
１２１，１２１ａ，１２１ｂ，２２１  基部
１２２，３２２，３２２ａ  鎖部
【図１】
2020103754.tif 000003
【図２】
2020103754.tif 000004
【図３】
2020103754.tif 000005
【図４】
2020103754.tif 000006
【図５】
2020103754.tif 000007
【図６】
2020103754.tif 000008
【図７】
2020103754.tif 000009
【図８】
2020103754.tif 000010
【図９】
2020103754.tif 000011
【図１０】
2020103754.tif 000012